(57)【特許請求の範囲】
【請求項１】
吹出口（１５）から吹き出される調和空気の風向を上下に変化させて揺らぎ気流を発生させる空調室内機であって、
前記吹出口（１５）の近傍に設けられ、コアンダ効果により前記調和空気を自己の下面に沿わせたコアンダ気流にして所定の方向へ誘導するコアンダ羽根（３２）と、
前記調和空気の前記揺らぎ気流を制御する制御部（４０）と、
を備え、
前記制御部（４０）は、前記揺らぎ気流制御時に、前記コアンダ羽根（３２）の動作を制御して、前記コアンダ気流を発生させるコアンダ発生状態と、前記コアンダ気流を発生させないコアンダ非発生状態とを含む第１モードを実行する、
空調室内機。
【請求項２】
吹出口（１５）から吹き出される調和空気の風向を上下に変化させて揺らぎ気流を発生させる空調室内機であって、
前記吹出口（１５）の近傍に設けられ、コアンダ効果により前記調和空気を自己の下面に沿わせたコアンダ気流にして所定の方向へ誘導するコアンダ羽根（３２）と、
前記調和空気の風向変化パターンを変更して前記揺らぎ気流を制御する制御部（４０）と、
を備え、
前記制御部（４０）には、少なくとも、
前記揺らぎ気流制御時に、前記コアンダ羽根（３２）の動作を制御して、前記コアンダ気流を発生させるコアンダ発生状態と、前記コアンダ気流を発生させないコアンダ非発生状態とを含む第１モードと、
前記揺らぎ気流制御時に、前記コアンダ気流を常時発生させない第２モードと、
が実行可能なモードとして予め設定されており、
制御部（４０）は、前記揺らぎ気流制御時に、前記第１モードを実行する時間帯と、前記第２モードを実行する時間帯とを混在させる、
空調室内機。
【請求項３】
水平面に対する前記調和空気の吹出角度を変更する風向調整羽根（３１）をさらに備え、
前記制御部（４０）は、前記風向調整羽根（３１）および前記コアンダ羽根（３２）のいずれか一方または両方を用いて前記揺らぎ気流を制御する、
請求項１又は請求項２に記載の空調室内機。
【請求項４】
前記揺らぎ気流制御は、
前記風向調整羽根（３１）及び前記コアンダ羽根（３２）を揺動させて揺らぎ気流を発生させるＡモードと、
前記風向調整羽根（３１）だけを揺動させて揺らぎ気流を発生させるＢモードと、
を含む、
請求項３に記載の空調室内機。
【請求項５】
前記揺らぎ気流制御は、
前記コアンダ羽根（３２）だけを揺動させて揺らぎ気流を発生させるＣモードをさらに含む、
請求項４に記載の空調室内機。
【請求項６】
前記制御部（４０）は、前記揺らぎ気流制御時に前記調和空気の風量を変化させる、
請求項１又は請求項２に記載の空調室内機。
【請求項７】
前記制御部（４０）は、少なくとも前記コアンダ気流を発生させる時間帯は前記調和空気の風量を所定風量へ変更する、
請求項６に記載の空調室内機。
【発明の詳細な説明】
【技術分野】
【０００１】
本発明は、空調室内機に関し、特にコアンダ効果を利用する空調室内機に関する。
【背景技術】
【０００２】
近年、居住空間の快適性を向上させる目的で、空調室内機から吹き出される調和空気を自然気流に近づける取り組みが行われている。例えば、特許文献１（特開２００１−４１５３８号公報）に記載されている空気調和機では、調和空気の風向を上下に揺動する３枚の羽根で調節し、その際、３枚の羽根の位相を異ならせることによって自然風に近い気流を実現しようとするものである。
【発明の概要】
【発明が解決しようとする課題】
【０００３】
しかしながら、上記のような構成では、気流は人に対して徐々に近づき徐々に遠ざかるような当たり方をするだけで、多様な風の流れを実現することはできない。
【０００４】
本発明の課題は、風の流れの多様化によって、より自然風に近い調和空気を実現することができる空調室内機を提供することにある。
【課題を解決するための手段】
【０００５】
本発明の第１観点に係る空調室内機は、吹出口から吹き出される調和空気の風向を上下に変化させて揺らぎ気流を発生させる空調室内機であって、コアンダ羽根と、制御部とを備えている。コアンダ羽根は、吹出口の近傍に設けられ、コアンダ効果により調和空気を自己の下面に沿わせたコアンダ気流にして所定の方向へ誘導する。制御部は、調和空気の揺らぎ気流を制御する。また、制御部は、揺らぎ気流制御時に、コアンダ羽根の動作を制御して、コアンダ気流を発生させるコアンダ発生状態と、コアンダ気流を発生させないコアンダ非発生状態とを含む第１モードを実行する。
【０００６】
コアンダ羽根は、コアンダ効果によって調和空気の流れを瞬間的に所定方向に向うコアンダ気流に変える。言い換えると、コアンダ効果が解消されるとコアンダ気流は瞬間的に元の流れに切り換わる。調和空気が居住者に当たっているような場合、コアンダ気流が発生したと同時に居住者に調和空気が当たらなくなり、コアンダ効果が解消されたと同時に調和空気が居住者に当たる。この空調室内機では、揺らぎ気流制御時に、突然にコアンダ気流が発生することによって風の流れが多様化するので、より自然風に近い調和空気を居住者に提供することができる。
【０００７】
本発明の第２観点に係る空調室内機は、吹出口から吹き出される調和空気の風向を上下に変化させて揺らぎ気流を発生させる空調室内機であって、コアンダ羽根と、制御部とを備えている。コアンダ羽根は、吹出口の近傍に設けられ、コアンダ効果により調和空気を自己の下面に沿わせたコアンダ気流にして所定の方向へ誘導する。制御部は、調和空気の風向変化パターンを変更して揺らぎ気流を制御する。また、制御部には、少なくとも、第１モードと第２モードとが実行可能なモードとして予め設定されている。第１モードは、揺らぎ気流制御時に、コアンダ羽根の動作を制御して、コアンダ気流を発生させるコアンダ発生状態と、コアンダ気流を発生させないコアンダ非発生状態とを含むモードである。第２モードは、揺らぎ気流制御時に、コアンダ気流を常時発生させないモードである。さらに、制御部は、揺らぎ気流制御時に、第１モードを実行する時間帯と、第２モードを実行する時間帯とを混在させる。
【０００８】
コアンダ羽根は、コアンダ効果によって調和空気の流れを瞬間的に所定方向に向うコアンダ気流に変える。言い換えると、コアンダ効果が解消されるとコアンダ気流は瞬間的に元の流れに切り換わる。調和空気が居住者に当たっているような場合、コアンダ気流が発生したと同時に居住者に調和空気が当たらなくなり、コアンダ効果が解消されたと同時に調和空気が居住者に当たる。この空調室内機では、揺らぎ気流制御時に、第１モードを実行する時間帯と第２モードを実行する時間帯とが混在することによって風の流れが多様化するので、より自然風に近い調和空気を居住者に提供することができる。
【０００９】
本発明の第３観点に係る空調室内機は、第１観点または第２観点に係る空調室内機であって、水平面に対する調和空気の吹出角度を変更する風向調整羽根をさらに備えている。また、制御部は、風向調整羽根およびコアンダ羽根のいずれか一方または両方を用いて揺らぎ気流を制御する。
【００１０】
この空調室内機では、風向調整羽根だけによる揺らぎ気流と、コアンダ羽根だけによる揺らぎ気流と、風向調整羽根およびコアンダ羽根による揺らぎ気流とを含む３種類の揺らぎ気流を実現することができ、居住者に対して変化に富んだ揺らぎ気流を提供することができる。
【００１１】
本発明の第４観点に係る空調室内機は、第３観点に係る空調室内機であって、揺らぎ気流制御が、ＡモードとＢモードとを含んでいる。Ａモードは、風向調整羽根およびコアンダ羽根を揺動させて揺らぎ気流を発生させる。Ｂモードは、風向調整羽根だけを揺動させて揺らぎ気流を発生させる。
【００１２】
この空調室内機では、Ａモードにおいて、居住者に徐々に近づき徐々に遠ざかる揺らぎ気流が、コアンダ羽根の揺動によってコアンダ羽根の下面に瞬間的に吸着されコアンダ気流となり居住者に向わなくなる状態と、コアンダ効果か解消され再び居住者に向う状態とが繰り返される。また、Ｂモードにおいて、調和空気が、風向調整羽根によって上下に揺動し、居住者に徐々に近づき徐々に遠ざかる揺らぎ気流となる。つまり、ＡモードとＢモードとを混在させることによって、「不意の風」をともなう揺らぎ気流と、「不意の風」をともなわない揺らぎ気流とを実現することができる。
【００１３】
本発明の第５観点に係る空調室内機は、第４観点に係る空調室内機であって、揺らぎ気流制御は、コアンダ羽根だけを揺動させて揺らぎ気流を発生させるＣモードをさらに含んでいる。
【００１４】
この空調室内機では、Ｃモードにおいて、調和空気の方向が一定であるときにコアンダ羽根の揺動によってコアンダ羽根の下面に瞬間的に吸着されコアンダ気流となり居住者に向わなくなる状態と、コアンダ効果が解消され再び居住者に向う状態とが繰り返される。つまり、一定の「不意の風」を発生させることができる。
【００１５】
本発明の第６観点に係る空調室内機は、第１観点または第２観点に係る空調室内機であって、制御部が、揺らぎ気流制御時に調和空気の風量を変化させる。
【００１６】
この空調室内機では、風向に加えて風量が変化することによって、調和空気がさらに自然風に近い気流となるので、居住者により心地よい空調空間を提供することができる。
【００１７】
本発明の第７観点に係る空調室内機は、第６観点に係る空調室内機であって、制御部が、少なくともコアンダ気流を発生させる時間帯に調和空気の風量を所定風量へ変更する。
【００１８】
この空調室内機では、「不意の風」は居住者に届かなければ効果がない。つまり、コアンダ気流を発生させる時間帯の風量が低下していると、コアンダ効果を解消した瞬間の調和空気は風量低下によって居住者に届かず「不意の風」にならない。
【００１９】
この空調室内機では、少なくともコアンダ気流を発生させる時間帯は調和空気の風量を所定風量へ変更しており、コアンダ効果が解消された瞬間の調和空気は所定風量を維持するので、「不意の風」を実現できる。
【発明の効果】
【００２０】
本発明の第１観点に係る空調室内機では、揺らぎ気流制御時に、突然にコアンダ気流が発生することによって、風の流れが多様化するので、より自然風に近い調和空気を居住者に提供することができる。
【００２１】
本発明の第２観点に係る空調室内機では、揺らぎ気流制御時に、第１モードを実行する時間帯と第２モードを実行する時間帯とが混在することによって風の流れが多様化するので、より自然風に近い調和空気を居住者に提供することができる。
【００２２】
本発明の第３観点に係る空調室内機では、風向調整羽根だけによる揺らぎ気流と、コアンダ羽根だけによる揺らぎ気流と、風向調整羽根およびコアンダ羽根による揺らぎ気流とを含む３種類の揺らぎ気流を実現することができ、居住者に対して変化に富んだ揺らぎ気流を提供することができる。
【００２３】
本発明の第４観点に係る空調室内機では、ＡモードとＢモードとを混在させることによって、「不意の風」をともなう揺らぎ気流と、「不意の風」をともなわない揺らぎ気流とを実現することができる。
【００２４】
本発明の第５観点に係る空調室内機では、Ｃモードにおいて、調和空気の方向が一定であるときにコアンダ羽根の揺動によってコアンダ羽根の下面に瞬間的に吸着されコアンダ気流となり居住者に向わなくなる状態と、コアンダ効果が解消され再び居住者に向う状態とが繰り返される。つまり、一定の「不意の風」を発生させることができる。
【００２５】
本発明の第６観点に係る空調室内機では、風向に加えて風量が変化することによって、調和空気がさらに自然風に近い気流となるので、居住者により心地よい空調空間を提供することができる。
【００２６】
本発明の第７観点に係る空調室内機では、少なくともコアンダ気流を発生させる時間帯は調和空気の風量を所定風量へ変更しており、コアンダ効果が解消された瞬間の調和空気は所定風量を維持するので、「不意の風」を実現できる。
【図面の簡単な説明】
【００２７】
【図１】本発明の一実施形態に係る運転停止時の空調室内機の断面図。
【図２】運転時の空調室内機の断面図。
【図３Ａ】調和空気が通常前吹き時の風向調整羽根およびコアンダ羽根の側面図。
【図３Ｂ】調和空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図４Ａ】調和空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】風向調整羽根の上下遥動による調和空気の風向を示す空調室内機設置空間の側面図。
【図６Ｂ】風向調整羽根が下向き時の調和空気の風向を示す空調室内機設置空間の側面図。
【図６Ｃ】コアンダ羽根の姿勢が天井吹き姿勢のときのコアンダ気流の風向を示す空調室内機設置空間の側面図。
【図７】揺らぎ気流Ａ制御時の風向調整羽根およびコアンダ羽根の動作を示すフローチャート。
【図８】揺らぎ気流Ｂ制御時の風向調整羽根、コアンダ羽根の動作および室内ファンのファン回転数を示すフローチャート。
【図９】第１変形例における揺らぎ気流制御時の風向調整羽根およびコアンダ羽根の動作を示すフローチャート。
【図１０】第２変形例における揺らぎ気流制御時の風向調整羽根およびコアンダ羽根の動作を示すフローチャート。
【発明を実施するための形態】
【００２８】
以下、図面を参照しながら、本発明の実施形態について説明する。なお、以下の実施形態は、本発明の具体例であって、本発明の技術的範囲を限定するものではない。
【００２９】
（１）空調室内機１０の構成
図１は、本発明の一実施形態に係る運転停止時の空調室内機１０の断面図である。また、図２は、運転時の空調室内機１０の断面図である。図１及び図２において、空調室内機１０は壁掛けタイプであり、本体ケーシング１１、室内熱交換器１３、室内ファン１４、底フレーム１６、及び制御部４０が搭載されている。
【００３０】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００３１】
天面部１１ａは、本体ケーシング１１の上部に位置し、天面部１１ａの前部には、吸込口（図示せず）が設けられている。
【００３２】
前面パネル１１ｂは室内機の前面部を構成しており、吸込口がないフラットな形状を成している。また、前面パネル１１ｂは、その上端が天面部１１ａに回動自在に支持され、ヒンジ式に動作することができる。
【００３３】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３４】
本体ケーシング１１の下部には、吹出口１５が設けられている。吹出口１５には、吹出口１５から吹き出される調和空気の方向を変更する風向調整羽根３１が回動自在に取り付けられている。風向調整羽根３１は、モータ（図示せず）によって駆動し、調和空気の方向を変更するだけでなく、吹出口１５を開閉することもできる。風向調整羽根３１は、傾斜角が異なる複数の姿勢をとることが可能である。
【００３５】
また、吹出口１５の近傍にはコアンダ羽根３２が設けられている。コアンダ羽根３２は、モータ（図示せず）によって前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００３６】
また、吹出口１５は、吹出流路１８によって本体ケーシング１１の内部と繋がっている。吹出流路１８は、吹出口１５から底フレーム１６のスクロール１７に沿って形成されている。
【００３７】
室内空気は、室内ファン１４の稼動によって吸込口、室内熱交換器１３を経て室内ファン１４に吸い込まれ、室内ファン１４から吹出流路１８を経て吹出口１５から吹き出される。
【００３８】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００３９】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００４０】
（２−２）吹出口１５
図１に示すように、吹出口１５は、本体ケーシング１１の下部に形成されており、横方向（図１紙面と直交する方向）を長辺とする長方形の開口である。吹出口１５の下端は下部水平板１１ｄの前方エッジに接しており、吹出口１５の下端と上端とを結ぶ仮想面は前方上向きに傾斜している。
【００４１】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される調和空気の風向は、スクロール１７の終端Ｆの接線Ｌ０に概ね沿った方向である。
【００４２】
（２−４）垂直風向調整板２０
垂直風向調整板２０は、図１及び図２に示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００４３】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００４４】
（２−５）風向調整羽根３１
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２参照）も、外面にほぼ平行な円弧曲面を成している。
【００４５】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００４６】
回動軸３１１が図１正面視反時計方向に回動することによって、風向調整羽根３１の上端が吹出口１５の上端側から遠ざかるように動作して吹出口１５を開ける。逆に、回動軸３１１が図１正面視時計方向に回動することによって、風向調整羽根３１の上端が吹出口１５の上端側へ近づくように動作して吹出口１５を閉じる。
【００４７】
風向調整羽根３１が吹出口１５を開けている状態において、吹出口１５から吹き出された調和空気は、風向調整羽根３１の内側面３１ｂに概ね沿って流れる。すなわち、スクロール１７の終端Ｆの接線方向に概ね沿って吹き出された調和空気は、その風向が風向調整羽根３１によってやや上向きに変更される。
【００４８】
（２−６）コアンダ羽根３２
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の下端部と回動軸３２１とは所定の間隔を保って連結されている。それゆえ、回動軸３２１が回動してコアンダ羽根３２が室内機前面部の収容部１３０から離れるほど、コアンダ羽根３２の下端の高さ位置は低くなるように回転する。また、コアンダ羽根３２が回転して開いたときの傾斜は室内機前面部の傾斜よりも緩やかである。
【００４９】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００５０】
また、回動軸３２１が図１正面視反時計方向に回動することによって、コアンダ羽根３２の上端および下端ともに円弧を描きながら収容部１３０から離れるが、そのとき、上端と吹出口より上方の室内機前面部の収容部１３０との最短距離は、下端と収容部１３０との最短距離より大きい。すなわち、コアンダ羽根３２は前方に行くにしたがって前記室内機前面部から離れるような姿勢に制御される。そして、回動軸３２１が図１正面視時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００５１】
コアンダ羽根３２が収容部１３０に収容された状態で、コアンダ羽根３２の外側面３２ａは前面パネル１１ｂのなだらかな円弧曲面の延長上にあるような外側に凸のなだらかな円弧曲面に仕上げられている。また、コアンダ羽根３２の内側面３２ｂは、収容部１３０の表面に沿うような円弧曲面に仕上げられている。
【００５２】
また、コアンダ羽根３２の長手方向の寸法は、風向調整羽根３１の長手方向の寸法以上となるように設定されている。この理由は風向調整羽根３１で風向調節された調和空気すべてをコアンダ羽根３２で受けるためであり、その目的はコアンダ羽根３２の側方からの調和空気がショートサーキットすることを防止することである。
【００５３】
（３）調和空気の方向制御
本実施形態の空調室内機は、調和空気の方向を制御する手段として、風向調整羽根３１のみを回動させて調和空気の方向を調整する通常吹出モードと、風向調整羽根３１及びコアンダ羽根３２を回動させてコアンダ効果によって調和空気をコアンダ羽根３２の外側面３２ａに沿わせたコアンダ気流にするコアンダ効果利用モードとを有している。
【００５４】
風向調整羽根３１及びコアンダ羽根３２は、上記各モードにおいて空気の吹出方向ごとに姿勢が変化するので、各姿勢について図面を参照しながら説明する。なお、吹出方向の選択は、ユーザーがリモコン等を介して行なうことができるものとする。また、モードの変更や吹出方向は自動的に変更されるように制御することも可能である。
【００５５】
（３−１）通常吹出モード
通常吹出モードは、風向調整羽根３１のみを回動させて調和空気の方向を調整するモードであり、「通常前吹き」と「通常前方下吹き」とを含む。
【００５６】
（３−１−１）通常前吹き
図３Ａは、調和空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側面３１ｂの前方端Ｅ１における接線が略水平になるまで風向調整羽根３１を回動させる。その結果、調和空気は、前吹き状態となる。
【００５７】
（３−１−２）通常前方下吹き
図３Ｂは、調和空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００５８】
このとき、制御部４０は、風向調整羽根３１の内側面３１ｂの前方端Ｅ１における接線が水平よりも前下がりになるまで風向調整羽根３１を回動させる。その結果、調和空気は、前方下吹き状態となる。
【００５９】
（３−１−３）風向自動
図６Ａは、風向調整羽根３１の上下遥動による調和空気の風向を示す空調室内機設置空間の側面図である。図６Ａに示すような風向調整は、従来品にも実施されている、いわゆるオートルーバー機能による風向調整であって、人体４００に風を当てる動作・当てない動作の繰り返し手段として利用される。
【００６０】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」および「コアンダ気流天井吹き」を含む。
【００６１】
また、調和空気の方向およびコアンダ気流の方向については、基準位置の取り方次第で定義の方法が異なるが、以下に一例を示す。図４Ａは、調和空気の方向およびコアンダ気流の方向を示す概念図である。図４Ａにおいて、コアンダ羽根３２の外側面３２ａ側にコアンダ効果を生じさせるには、風向調整羽根３１によって変更された調和空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両羽根（３１、３２）がその範囲内を成すようにして、上記の関係が成立するようにしている。これにより、図４Ａに示すように、調和空気の風向が風向調整羽根３１によってＤ１に変更された後、さらにコアンダ効果によりＤ２に変更される。
【００６２】
また、本実施形態のコアンダ効果利用モードでは、コアンダ羽根３２が風向調整羽根３１の前方（吹出の下流側）かつ上方の位置あるのが好ましい。
【００６３】
また、風向調整羽根３１とコアンダ羽根３２との開き角度については、基準位置の取り方次第で定義の方法が異なるが、以下に一例を示す。図４Ｂは、風向調整羽根３１とコアンダ羽根３２との開き角度の一例を表す概念図である。図４Ｂにおいて、風向調整羽根３１の内側面３１ｂの前後端を結ぶ直線と水平線との角度を風向調整羽根３１の傾斜角θ１とし、コアンダ羽根３２の外側面３２ａの前後端を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００６４】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角が、スクロール１７の終端Ｆの接線と風向調整羽根３１とが成す内角よりも大きい、という条件を満たす姿勢をとるのが好ましい。
【００６５】
なお、内角については、図５Ａ（コアンダ気流前方吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）、および図５Ｂ（コアンダ気流天井吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）を参照のこと。
【００６６】
また、図５Ａ及び図５Ｂに示すように、コアンダ効果利用モードにおけるコアンダ羽根３２では、コアンダ羽根３２の先端部が水平より前方上向で、吹出口１５よりも外側上方に位置する。その結果、コアンダ気流はより遠方に到達する上に、コアンダ羽根３２の上側を通過するような強い気流の発生は抑制され、コアンダ気流の上方への誘導が阻害されにくくなる。
【００６７】
また、コアンダ羽根３２の後端部の高さ位置は運転停止時よりも低くなっているので、上流側でのコアンダ効果によるコアンダ気流が生成し易い。
【００６８】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側面３１ｂの前方端Ｅ１における接線Ｌ１が水平よりも前下がりになるまで風向調整羽根３１を回動させる。
【００６９】
次に、制御部４０は、コアンダ羽根３２の外側面３２ａが略水平になる位置までコアンダ羽根３２を回動させる。なお、本願実施形態のようにコアンダ羽根３２の外側面３２ａが円弧曲面をなしている場合は、外側面３２ａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００７０】
風向調整羽根３１で前方下吹きに調整された調和空気は、コアンダ効果によってコアンダ羽根３２の外側面３２ａに付着した流れとなり、この外側面３２ａに沿ったコアンダ気流に変わる。
【００７１】
したがって、風向調整羽根３１の前方端Ｅ１における接線Ｌ１方向が前方下吹きであっても、コアンダ羽根３２の前方端Ｅ２における接線Ｌ２方向が水平であるので、調和空気は、コアンダ効果によってコアンダ羽根３２の外側面３２ａの前方端Ｅ２における接線Ｌ２方向、すなわち水平方向に吹き出される。
【００７２】
このように、コアンダ羽根３２が室内機前面部から離れて傾斜が緩やかになり、調和空気が前面パネル１１ｂよりも前方でコアンダ効果を受け易くなる。その結果、風向調整羽根３１で風向調節された調和空気が前方下吹きであっても、コアンダ効果によって水平吹きの空気となる。これは、吹出口通過直後の空気を前面パネルに近づけて前面パネルのコアンダ効果で上向きにする方法に比べて、風向調整羽根３１の通風抵抗による圧損が抑制されつつ風向が変更される。
【００７３】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側面３１ｂの前方端Ｅ１における接線Ｌ１が水平になるまで風向調整羽根３１を回動させる。
【００７４】
次に、制御部４０は、外側面３２ａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された調和空気は、コアンダ効果によってコアンダ羽根３２の外側面３２ａに付着した流れとなり、この外側面３２ａに沿ったコアンダ気流に変わる。
【００７５】
したがって、風向調整羽根３１の前方端Ｅ１における接線Ｌ１方向が前方吹きであっても、コアンダ羽根３２の前方端Ｅ２における接線Ｌ２方向が前方上吹きであるので、調和空気は、コアンダ効果によってコアンダ羽根３２の外側面３２ａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根３２の上側を通過するような気流の発生は抑制され、コアンダ気流の上方への誘導が阻害されにくい。
【００７６】
このように、コアンダ羽根３２が室内機前面部から離れて傾斜が緩やかになり、調和空気が前面パネル１１ｂよりも前方でコアンダ効果を受け易くなる。その結果、風向調整羽根３１で風向調節された調和空気が前方吹きであっても、コアンダ効果によって上向きの空気となる。
【００７７】
なお、コアンダ羽根３２の長手方向の寸法は、風向調整羽根３１の長手方向の寸法以上である。それゆえ、風向調整羽根３１で風向調節された調和空気すべてをコアンダ羽根３２で受けることができ、コアンダ羽根３２の側方から調和空気がショートサーキットすることが防止されるという効果も奏している。
【００７８】
（３−２−３）不意の風
図６Ｂは、風向調整羽根３１が下向き時の調和空気の風向を示す空調室内機設置空間の側面図である。また、図６Ｃは、コアンダ羽根３２の姿勢が天井吹き姿勢のときのコアンダ気流の風向を示す空調室内機設置空間の側面図である。
【００７９】
図６Ｂ及び図６Ｃにおいて、図６Ｂのような人体４００に向いた風を、コアンダ効果を利用して図６Ｃのような上向きのコアンダ気流に変更し、その後、その逆の動作を行なうことによって、突然人体４００に当たるような不意の風を作り出すことができる。
【００８０】
例えば、風向調整羽根３１が居住者の居る方向に調和空気を向けているときに、コアンダ羽根３２が不規則な周期で、コアンダ効果を発生させる領域とコアンダ効果を発生させない領域との間の境界域を跨ぐように移動した場合、コアンダ気流の発生と消滅とが繰り返され、居住者に突然当たる風が作られる。
【００８１】
（３−２−４）揺らぎ気流Ａ
揺らぎ気流とは、調和空気の風向を不規則に変動させることによって生成される気流であり、風向を不規則に変動させるという点で（３−１−３）で説明した風向自動と異なるものである。
【００８２】
図７は、揺らぎ気流Ａ制御時の風向調整羽根３１およびコアンダ羽根３２の動作を示すフローチャートである。図７において、風向調整羽根３１は、中間位置に待機する動作を挟んで、上限位置と下限位置との間を揺動する。制御部４０は、風向調整羽根３１が中間位置に待機する時間（以後、中間位置待機時間よとぶ）を不規則に変化させており、これによって、居住者に近づいていく風と遠ざかっていく風の組合せが不規則に入れ替わるので、居住者に多様な風を提供することができる。
【００８３】
さらに、コアンダ羽根３２は、上限位置と下限位置との間を揺動する。図７に示すとおり、揺らぎ気流制御には、コアンダ羽根３２が上限位置と下限位置との間を揺動している間に風向調整羽根３１が上限位置と中間位置との間を揺動する第１パターンと、コアンダ羽根３２が上限位置に待機する間に風向調整羽根３１が中間位置と下限位置との間を揺動する第２パターンとが含まれている。
【００８４】
第１パターンにおいて、コアンダ羽根３２が上限位置から下限位置に向う動作と、風向調整羽根３１が中間位置か上限位置に向うタイミングとは同期している。また、コアンダ羽根３２が下限位置から上限位置に向う動作と、風向調整羽根３１が上限位置か中間位置に向うタイミングとは同期している。
【００８５】
風向調整羽根３１が中間位置にあるときは、コアンダ羽根３２は上限位置にあるように制御されているのでコアンダ気流は発生しない。したがって、風向調整羽根３１の中間位置待機時間が不規則に変化することによって、コアンダ気流を発生させない時間が不規則に変化し、風が不意に吹いてくる間隔が不規則に入れ替わり、居住者により多様な風を提供することができる。
【００８６】
なお、風向調整羽根３１の中間位置待機時間では、調和空気を安定して一方向に吹かせたいので、本実施形態では、風向調整羽根３１が中間位置にあり且つコアンダ羽根３２が上限位置にある時間を待機時間として計測している。
【００８７】
また、制御部４０は、風向調整羽根３１が上限位置に待機する時間および下限位置に待機する時間それぞれを不規則に変化させることもできる。さらに、制御部４０は、コアンダ羽根３２が下限位置に待機する時間を不規則に変化させることもできる。
【００８８】
このように、風向調整羽根３１及びコアンダ羽根３２が不規則に揺動することによって、自然風に近い調和空気を居住者に提供することができる。
【００８９】
（３−２−５）揺らぎ気流Ｂ
図８は、揺らぎ気流Ｂ制御時の風向調整羽根３１、コアンダ羽根３２の動作および室内ファン１４のファン回転数を示すフローチャートである。図８において、風向調整羽根３１およびコアンダ羽根３２の動作は揺らぎ気流Ａ制御時と同じであるが、風向調整羽根３１およびコアンダ羽根３２の動作に応じて室内ファン１４のファン回転数を変化させている点において、揺らぎ気流Ａ制御と異なる。
【００９０】
特に、揺らぎ気流Ｂ制御では、コアンダ羽根３２が上限位置から下限位置への移動を開始する時点で、室内ファン１４のファン回転数を所定値まで上げる。ここで言う所定値とは、コアンダ羽根３２から剥離した風が居住者に届くことができる最低の風量を確保するためのファン回転数をいう。
【００９１】
したがって、コアンダ羽根３２が上限位置から下限位置への移動を開始する時点で、室内ファン１４のファン回転数が所定値まで上昇すれば、気流がコアンダ羽根３２から剥がれて居住者に向ったときに、気流が居住者に確実に届くので、不意の風が実現する。
【００９２】
（４）動作
ここでは、図８を用いて揺らぎ気流Ｂ制御時の風向調整羽根３１およびコアンダ羽根３２の動作を説明する。図８において、風向モードが固定風向制御から揺らぎ気流Ｂ制御へ切り換えられたとき、風向調整羽根３１は、一旦、中間位置まで移動して待機する。それと同時に、コアンダ羽根３２は上限位置まで移動し待機する。制御部４０は、風向調整羽根３１が中間位置に到達し且つコアンダ羽根３２が上限位置に到達した時間を起点に待機時間を計測する。
【００９３】
風向調整羽根３１は、第１待機時間ｔｆ１が経過した後に下限位置への移動を開始し、下限位置に到達後は所定時間だけ下限位置に静止し、再び中間位置へ移動を開始する。中間位置へ移動した風向調整羽根３１は、そこで第２待機時間ｔｆ２だけ待機した後に上限位置への移動を開始する。このとき、コアンダ羽根３２が同期して下限位置への移動を開始する。下限位置に到達したコアンダ羽根３２は、一定時間だけそこに待機した後、上限位置に向って上昇を開始する。
【００９４】
また、上限位置に到達した風向調整羽根３１も一定時間だけそこで待機し、コアンダ羽根３２が上限位置への移動を開始するときに同期して、中間位置へ向って移動を開始する。中間位置に到達した風向調整羽根３１は、そこで待機する。この間に、コアンダ羽根３２が上限位置に到達する。制御部４０は、風向調整羽根３１が中間位置に到達し且つコアンダ羽根３２が上限位置に到達した時間を起点に待機時間を計測する。
【００９５】
風向調整羽根３１は、第２待機時間ｔｆ３だけ待機した後に上限位置への移動を開始する。このとき、コアンダ羽根３２が同期して下限位置への移動を開始する。下限位置に到達したコアンダ羽根３２は、一定時間だけそこに待機した後、上限位置に向って上昇を開始する。
【００９６】
また、すでに上限位置に到達した風向調整羽根３１も、一定時間だけそこに待機しているが、コアンダ羽根３２が上限位置への移動を開始するときに同期して、中間位置へ向って移動を開始する。以降は、予め設定されている待機時間の異なる風向パターンにしたがって動作する。
【００９７】
なお、制御部４０は、風向調整羽根３１が上限位置に待機する時間および下限位置に待機する時間それぞれを不規則に変化させることもできる。さらに、制御部４０は、コアンダ羽根３２が下限位置に待機する時間を不規則に変化させることもできる。
【００９８】
室内ファン１４のファン回転数は、予め設定されている変動量パターンに従って不規則に上昇又は下降を繰り返す。但し、コアンダ羽根３２が下限位置にある間は、ファン回転数を所定値以上の範囲で不規則に変化させる制限を行う。そして、コアンダ羽根３２が下限位置から上限位置への移動を開始し、コアンダ羽根３２が上限位置へ到達した時点で、その制限を解除し、ファン回転数を不規則に変化させる。
【００９９】
このように、風向調整羽根３１およびコアンダ羽根３２の動作に応じて室内ファン１４のファン回転数を変化させることによって、低周波の変動・うねりが実現され、より自然風に近い調和空気を居住者に提供することができる。さらに、コアンダ羽根３２が上限位置から下限位置に移動し、待機し、再び上限位置に移動する期間については、コアンダ羽根３２から剥離した風が居住者に届くことができる最低の風量を確保するために、所定値以上のファン回転数となるように制御される。
【０１００】
（５）特徴
（５−１）
空調室内機１０では、制御部４０は、揺らぎ気流制御時に、コアンダ羽根の動作を制御して、コアンダ気流を発生させるコアンダ発生状態と、コアンダ気流を発生させないコアンダ非発生状態とを含むモードを実行するので、揺らぎ気流制御時に、突然にコアンダ気流が発生することによって風の流れが多様化し、より自然風に近い調和空気を居住者に提供することができる。
【０１０１】
（５−２）
また、制御部４０が、揺らぎ気流制御時に調和空気の風量を変化させるので、風向に加えて風量が変化することによって、調和空気がさらに自然風に近い気流となり、居住者により心地よい空調空間を提供することができる。
【０１０２】
（５−３）
さらに、制御部４０が、コアンダ気流を発生させる時間帯、つまり、コアンダ羽根３２が上限位置から下限位置に移動し、待機し、再び上限位置に移動する期間、調和空気の風量を所定値へ変更する。それゆえ、コアンダ効果が解消された瞬間の調和空気は、確実に居住者に届くので「不意の風」を実現できる。
【０１０３】
（６）変形例
上記実施形態では、揺らぎ気流Ａ制御および揺らぎ気流Ｂ制御ともに、風向調整羽根３１及びコアンダ羽根３２を不規則に揺動させることによって、コアンダ気流を発生させるコアンダ発生状態と、コアンダ気流を発生させないコアンダ非発生状態とを含むモードを実現しているが、これに限定されるものではない。以下に、揺らぎ気流制御の変形例を説明する。
【０１０４】
（６−１）第１変形例
図９は、第１変形例における揺らぎ気流制御時の風向調整羽根３１およびコアンダ羽根３２の動作を示すフローチャートである。図９において、第１変形例における揺らぎ気流制御は、風向調整羽根３１及びコアンダ羽根３２を揺動させて揺らぎ気流を発生させるＡモードを実行する時間帯と、風向調整羽根３１だけを揺動させて揺らぎ気流を発生させるＢモードを実行する時間帯とを混在させていることが特徴である。
【０１０５】
Ａモードについては、上記実施形態の揺らぎ気流Ａ制御と同じであり、風向調整羽根３１は、中間位置に待機する動作を挟んで、上限位置と下限位置との間を揺動する。制御部４０は、風向調整羽根３１が中間位置に待機する時間を不規則に変化させており、これによって、居住者に近づいていく風と遠ざかっていく風の組合せが不規則に入れ替わるので、居住者に多様な風を提供することができる。
【０１０６】
さらに、コアンダ羽根３２は、上限位置と下限位置との間を揺動する。制御部４０は、コアンダ羽根３２が上限位置に待機する時間を不規則に変化させており、これによって、コアンダ気流を発生させない時間が不規則に変化し、居住者に風が不意に吹いてくる間隔が不規則に入れ替わるので、居住者により多様な風を提供することができる。
【０１０７】
Ｂモードは、コアンダ羽根３２を全閉位置に移動するので、風向調整羽根３１の上下限位置に関係なくコアンダ気流を常時発生させない。それでも、風向調整羽根３１は、中間位置に待機する動作を挟んで、上限位置と下限位置との間を揺動する。その際、制御部４０は、風向調整羽根３１が中間位置に待機する時間を不規則に変化させており、これによって、居住者に近づいていく風と遠ざかっていく風の組合せが不規則に入れ替わるので、居住者に多様な風を提供することができる。
【０１０８】
つまり、ＡモードとＢモードとを混在させることによって、「不意の風」をともなう揺らぎ気流と、「不意の風」をともなわない揺らぎ気流とを交互に繰り返して、多様な風を実現している。
【０１０９】
（６−２）第２変形例
図１０は、第２変形例における揺らぎ気流制御時の風向調整羽根３１およびコアンダ羽根３２の動作を示すフローチャートである。図１０において、第２変形例における揺らぎ気流制御は、第１変形例における揺らぎ気流制御のＡモード及びＢモードのほかに、コアンダ羽根３２だけを揺動させて揺らぎ気流を発生させるＣモードを混在させていることが特徴である。
【０１１０】
Ｃモードでは、例えば、風向調整羽根３１が中間位置で静止することによって調和空気の方向が一定であるときに、コアンダ羽根３２の揺動によってコアンダ羽根３２の下面に瞬間的に吸着されコアンダ気流となり居住者に向わなくなる状態と、コアンダ効果が解消され再び居住者に向う状態とが繰り返される。つまり、一定の「不意の風」を発生させることができる。
【０１１１】
つまり、Ａモード、Ｂモード及びＣモードを混在させることによって、「不意の風」をともなう揺らぎ気流と、「不意の風」をともなわない揺らぎ気流と、一方向の「不意の風」ともなう揺らぎ気流とを交互に繰り返して、多様な風を実現している。
【産業上の利用可能性】
【０１１２】
以上のように、本発明によれば、自然風に近い調和空気を居住者へ提供することができるので、壁掛け式の空調室内機に限らず、空気清浄機にも有用である。
【符号の説明】
【０１１３】
１０  空調室内機
１５  吹出口
３１  風向調整羽根
３２  コアンダ羽根
４０  制御部
【先行技術文献】
【特許文献】
【０１１４】
【特許文献１】特開２００１−４１５３８号公報
【要約】
【課題】風の流れの多様化によって、より自然風に近い調和空気を実現することができる空調室内機を提供する。
【解決手段】空調室内機１０では、制御部４０は、揺らぎ気流制御時に、コアンダ羽根の動作を制御して、コアンダ気流を発生させるコアンダ発生状態と、コアンダ気流を発生させないコアンダ非発生状態とを含むモードを実行するので、揺らぎ気流制御時に、突然にコアンダ気流が発生することによって風の流れが多様化し、より自然風に近い調和空気を居住者に提供することができる。
【選択図】図８【図１】
0005408318.tif 000002
【図２】
0005408318.tif 000003
【図３Ａ】
0005408318.tif 000004
【図３Ｂ】
0005408318.tif 000005
【図３Ｃ】
0005408318.tif 000006
【図３Ｄ】
0005408318.tif 000007
【図４Ａ】
0005408318.tif 000008
【図４Ｂ】
0005408318.tif 000009
【図５Ａ】
0005408318.tif 000010
【図５Ｂ】
0005408318.tif 000011
【図６Ａ】
0005408318.tif 000012
【図６Ｂ】
0005408318.tif 000013
【図６Ｃ】
0005408318.tif 000014
【図７】
0005408318.tif 000015
【図８】
0005408318.tif 000016
【図９】
0005408318.tif 000017
【図１０】
0005408318.tif 000018